(57)【要約】【課題】持ち運びが容易で、洗浄水の送水および排水が容易にできて各種介護作業に好適に利用できる介護用洗浄装置を提供する。【解決手段】駆動モータ１６のモータ本体の両側から突出する回転駆動軸に各々給水ポンプ１８と排水ポンプ２０とを連結し、前記給水ポンプに洗浄水貯溜タンク２２から吸引した水を送水する送水管２６を接続し、前記排水ポンプに吸水管３０を接続した介護用洗浄装置において、収納ボックス１０の上段に、前記駆動モータ、給水ポンプ、排水ポンプ等の駆動部と、送水管と吸水管とを連絡して給水ポンプ側から排水ポンプ側へ洗浄水を分流させるバイパス流路を備えた配管部４０とを配置するとともに、収納ボックスの下段に前記洗浄水貯溜タンク２２を配置し、前記送水管２６と吸水管３０とを収納ボックスの外方に延出させて設けるとともに、前記送水管および吸水管に、歯ブラシ２８あるいは吸引パイプ３１等のアタッチメントを着脱自在に設けたことを特徴とする。【選択図】　　　　　図１
2004041687.tif 000002
【特許請求の範囲】
【請求項１】
駆動モータのモータ本体の両側から突出する回転駆動軸に各々給水ポンプと排水ポンプとを連結し、前記給水ポンプに洗浄水貯溜タンクから吸引した水を送水する送水管を接続し、前記排水ポンプに吸水管を接続した介護用洗浄装置において、
前面が開口する収納ボックスを仕切板により上下に区分して設け、
前記収納ボックスの上段に、前記駆動モータ、給水ポンプ、排水ポンプ等の駆動部と、送水管と吸水管とを連絡して給水ポンプ側から排水ポンプ側へ洗浄水を分流させるバイパス流路を備えた配管部とを配置するとともに、前記収納ボックスの下段に前記洗浄水貯溜タンクを配置し、
前記送水管と吸水管とを収納ボックスの外方に延出させて設けるとともに、前記送水管および吸水管に、歯ブラシあるいは吸引パイプ等のアタッチメントを着脱自在に設けたことを特徴とする介護用洗浄装置。
【請求項２】
前記給水ポンプがダイヤフラム式ポンプであり、前記排水ポンプが自吸式マグネットポンプであることを特徴とする請求項１記載の介護用洗浄装置。
【請求項３】
前記アタッチメントに、水流の通流を制御する調節レバーが設けられていることを特徴とする請求項１または２記載の介護用洗浄装置。
【請求項４】
前記配管部が、漏水防止ボックス内に水密にシールされて収納されていることを特徴とする請求項１、２または３記載の介護用洗浄装置。
【発明の詳細な説明】
【０００１】
【発明の属する技術分野】
本発明は介護用洗浄装置に関し、より詳細には、歯磨きあるいは口腔内の洗浄等の介護作業に使用される介護用洗浄装置に関する。
【０００２】
【従来の技術】
病人あるいは老人等の介護に使用する用具として、本出願人は先に、送水管から洗浄水を放射し、同時に吸水管からすすぎ水を吸引して排水することができるように構成した介護用洗浄器について提案した（特許文献１参照）。この介護用洗浄器はモータ本体の両側から回転駆動軸が突出する形式の駆動モータを使用し、回転駆動軸の各々に給水ポンプと排水ポンプを連結して、給水ポンプと排水ポンプを一つの駆動モータによって駆動する構成としたものである。給水ポンプは洗浄水貯溜タンクから洗浄水を吸引して送水管から洗浄水を放射し、排水ポンプは洗浄後の水を吸水管から吸引して排水タンクに排出する。
【０００３】
【特許文献１】
特開２０００−１６６９４７号公報
【０００４】
【発明が解決しようとする課題】
上記介護用洗浄器は、たとえば送水管に洗浄水の放射口を設けた歯ブラシを取り付け、歯ブラシから放水しながら吸水管で吸水するようにすることで、口腔内を清潔にするといった使い方が可能である。病人や介護が必要とする老人では、自力でうがい等ができないことがあり、そのような場合にこの介護用洗浄器を使用すると、簡単に口腔内の洗浄を行うことができる。
【０００５】
しかしながら、従来の洗浄器では、給水ポンプや排水ポンプ等の駆動部と洗浄水貯溜タンク等が各別に配置されてコンパクトに形成されておらず、そのために、持ち運びが不便であったり、取り扱いがしにくかったりするという課題があった。また、従来装置では、アタッチメントとして歯ブラシを取り付けているものの、いろいろな介護作業に使いやすい形態になっていないという課題もあった。そこで、本発明はこれらの課題を解決すべくなされたものであり、その目的とするところは、歯ブラシ、口腔内の洗浄、痰とり、耳垢清掃等のいろいろな介護作業に好適に使用することができ、取り扱いが容易でだれでも手軽に使用することができる介護用洗浄装置を提供するにある。
【０００６】
【課題を解決するための手段】
本発明は上記目的を達成するため、次の構成を備える。
すなわち、駆動モータのモータ本体の両側から突出する回転駆動軸に各々給水ポンプと排水ポンプとを連結し、前記給水ポンプに洗浄水貯溜タンクから吸引した水を送水する送水管を接続し、前記排水ポンプに吸水管を接続した介護用洗浄装置において、前面が開口する収納ボックスを仕切板により上下に区分して設け、前記収納ボックスの上段に、前記駆動モータ、給水ポンプ、排水ポンプ等の駆動部と、送水管と吸水管とを連絡して給水ポンプ側から排水ポンプ側へ洗浄水を分流させるバイパス流路を備えた配管部とを配置するとともに、前記収納ボックスの下段に前記洗浄水貯溜タンクを配置し、前記送水管と吸水管とを収納ボックスの外方に延出させて設けるとともに、前記送水管および吸水管に、歯ブラシあるいは吸引パイプ等のアタッチメントを着脱自在に設けたことを特徴とする。
【０００７】
また、前記給水ポンプがダイヤフラム式ポンプであり、前記排水ポンプが自吸式マグネットポンプであることを特徴とする。この場合、前記バイパス流路を介して給水ポンプから排水ポンプに水が分流されることで自吸式マグネットポンプの空運転が防止され、排水側での吸水操作が確実になされるようになる。
また、前記アタッチメントに、水流の通流を制御する調節レバーが設けられていることにより、アタッチメントへの給水量、アタッチメントからの吸引量を適宜制御して好適な介護作業を行うことができる。
また、前記配管部が、漏水防止ボックス内に水密にシールされて収納されていることにより、配管部分での漏水を防止して装置の安全性を高めることが可能となる。
【０００８】
【発明の実施の形態】
以下、本発明の好適な実施の形態について、図面とともに詳細に説明する。
図１は本発明に係る介護用洗浄装置の全体構成を示す説明図である。なお、本実施形態においては、送水管２６にアタッチメントとして歯ブラシを接続し、吸水管３０に吸引パイプ３１を取り付けている。
同図で１０は仕切板１２により上下に２段に収納部を区分するようにして形成された収納ボックスである。１０ａは収納ボックス１０の上部に設けた把手である。収納ボックス１０の前面は開口して設けられており、収納ボックス１０の上段の前面は透明なプラスチック製の開閉蓋１４によって開閉されるように形成されている。図１は、開閉蓋１４が収納ボックス１０の上段の天部内に収納されている状態である。介護用洗浄装置を使用する際は、開閉蓋１４を降ろして、仕切板１２の上部を閉じておく。
【０００９】
収納ボックス１０の上段内には、駆動モータ１６、給水ポンプ１８、排水ポンプ２０が設置されている。駆動モータ１６は１台のみで給水ポンプ１８と排水ポンプ２０とを同時に駆動可能としたものである。すなわち、駆動モータ１６はモータ本体の両側面から回転駆動軸を延出するように形成されているもので、各々の回転駆動軸に給水ポンプ１８と排水ポンプ２０とを連結し、１台で給水ポンプ１８と排水ポンプ２０とを駆動している。
【００１０】
なお、本実施形態では給水ポンプ１８にダイヤフラム式ポンプを使用し、排水ポンプ２０に自吸式マグネットポンプを使用している。給水ポンプ１８にダイヤフラム式ポンプを使用しているのは、ダイヤフラム式ポンプは自吸式マグネットポンプにくらべて水の供給圧力が高く、たとえば被介護者がベッドに寝た状態で、介護用洗浄装置を下に置いて使用するといった場合でも、確実に送水管から水を吐出することができるからである。また、ダイアフラム式ポンプは水を補給せずに運転でき、空運転が可能であり、取り扱いが容易であるという利点がある。
【００１１】
なお、排水ポンプ２０に使用する自吸式マグネットポンプはインペラを内蔵し、駆動モータ１６の回転駆動軸によりインペラを回転することによって吸水作用をなす。自吸式マグネットポンプはダイアフラム式ポンプにくらべて低廉であるという利点がある。なお、排水ポンプ２０については使用開始時に水を補給する必要があるが、本実施形態の介護用洗浄装置は、後述するようにバイパス管３４により給水ポンプ１８から排水ポンプ２０側へ水を分流させるようにして、作動時に排水ポンプ２０が空運転とならないように構成している。
駆動モータ１６は、給水ポンプ１８および排水ポンプ２０を回転駆動軸に連結するため、給水ポンプ１８と排水ポンプ２０に挟まれた配置となるようにして仕切板１２に固定している。
【００１２】
給水ポンプ１８は洗浄水貯溜タンクから洗浄水を送水管側に供給する作用をなす。収納ボックス１０の仕切板１２の下段はこの洗浄水貯溜タンク２２を収納するスペースとなっている。洗浄水貯溜タンク２２は、１リットル程度の水道水あるいは温水を収納できる程度の容積のものであればよい。２３は洗浄水貯溜タンク２２に洗浄水を補給等するためのキャップである。２４は洗浄水貯溜タンク２２と給水ポンプ１８とを連通する連通管２５を洗浄水貯溜タンク２２に挿入するための挿入口である。
【００１３】
連通管２５は一端側が給水ポンプ１８に連結されており、洗浄水貯溜タンク２２を使用する際には、洗浄水貯溜タンク２２に洗浄水を補給し、収納ボックス１０の下段に洗浄水貯溜タンク２２を収納した後、挿入口２４から連通管２５を挿入すればよい。
なお、実施形態の装置では洗浄水貯溜タンク２２に挿入する連通管２５の先端部を先細状として、連通管２５から給水ポンプ１８に吸引される水量を抑制するようにしている。これは、洗浄水貯溜タンク２２から一気に水が吸引されて洗浄水が急激に減らないようにするためである。
このように、洗浄水貯溜タンク２２は簡単に取り付け、取り外しができ、洗浄水貯溜タンク２２に残っている水を捨ててタンク内を洗浄すること、洗浄水を補給するといった操作を容易に行うことができる。
【００１４】
給水ポンプ１８の給水側には送水管２６が連結される。本実施形態の装置では、給水ポンプ１８と排水ポンプ２０との間にバイパス流路を設けるため、送水管２６と給水ポンプ１８との間に配管部４０を設けている。送水管２６はこの配管部４０の給水側に連結して設けられている。
送水管２６は配管部４０から仕切板１２の下方に延出し、収納ボックス１０の外方へ長く引き出すように設けられている。本実施形態では送水管２６の先端に流量調節部２７を介して歯ブラシ２８を取り付けている。流量調節部２７では調節レバー２７ａを回動することによって、歯ブラシ２８から放出される洗浄水の量を調節し、洗浄水の放出を停止させることができる。
【００１５】
送水管２６に流量調節部２７を設けることにより、使用状態に合わせて洗浄水の流量を手元で調節することができ、口の中から水が溢れたりしないようにして調節しながら使用することができる。
歯ブラシ２８ではブラシ部２８ａから洗浄水が放出され、ブラッシングしながら洗浄水を放射して口腔内を洗浄することができる。歯ブラシ２８は流量調節部２７に脱着可能に設けられており、適宜交換することによって複数人で介護用洗浄装置を共用することもできる。
【００１６】
一方、洗浄水を吸引する排水ポンプ２０にはその吸引側に吸水管３０が連結される。吸水管３０も送水管２６と同様に配管部４０の吸水側に連結され、仕切板１２の下方から収納ボックス１０の外方に長く延出するように設けられている。吸水管３０の先端には吸引パイプ３１が脱着自在に取り付けられ、吸引パイプ３１の先端に保護カバー３２が脱着自在に取り付けられている。吸引パイプ３１はステンレス等の金属製パイプであり、保護カバー３２はシリコーン等により円筒状に形成した部品である。吸引パイプ３１は口腔内に差し入れて、口腔内にたまった水を吸引するようにして使用する。
排水ポンプ２０から吸引された排水は、排水ポンプ２０の排水口側から排水タンク３３に排出される。本実施形態では収納ボックス１０の裏面側に排水タンク３３が設置され、排水ポンプ２０から排出される排水が排水タンク３３に収容される。
【００１７】
図２に、上述した駆動モータ１６、給水ポンプ１８、排水ポンプ２０と、送水管２６、吸水管３０等とを連通する流路の構成を示す。
上述したように、洗浄水貯溜タンク２２に収納された洗浄水は給水ポンプ１８により送水管２６を介して歯ブラシ２８に送出される。歯ブラシ２８には、送水管２６に連通する内部流路が設けられており、ブラシ部２８ａを植設した側に設けた複数の開口孔から洗浄水が放射される。
一方、吸引パイプ３１から吸引された水は、排水ポンプ２０から排水タンク３３に排出される。
【００１８】
図２で、３４ａは給水ポンプ１８の送水側と排水ポンプ２０の入水側との間を連通させて設けたバイパス流路である。このバイパス流路３４ａは給水ポンプ１８から送水する水の一部を排水側にバイパスさせるために設けている。給水ポンプ１８と排水ポンプ２０とをバイパス流路３４ａによって連通させている理由の一つは、本実施形態では、排水ポンプ２０に自吸式ポンプを使用しているから、この自吸式ポンプが作動時に空運転されないようにするためである。バイパス流路３４ａから水をバイパスさせて排水ポンプ２０に供給するようにしておけば、自吸式ポンプの空運転が防止でき、排水ポンプ２０によって確実に排水することが可能となる。
【００１９】
３５ａはバイパス流路３４ａでの流量を調節する調節弁である。この調節弁３５ａを調節することで排水ポンプ２０への分流量を調節することができ、また、送水管２６への洗浄水の供給量を調節することもできる。調節弁３５ａは排水ポンプ２０への分流量を調節するためのものであるから、あらかじめ分流量を調節しておけば、使用の都度調節しなおす必要はない。歯ブラシ２８での微調整は流量調節部２７の調節弁２７ｂによって行うことができる。
３６はバイパス流路３４ａでの水の流れを確認できるように透明管としたものである。バイパスに部分的に透明管３６を設けるかわりに、バイパス管の全体を透明な管体によって形成してもよい。
【００２０】
図１で、３４は送水管２６と吸水管３０とを連通するバイパス流路３４ａとなるバイパス管、３５は調節弁３５ａを備えた調節バルブである。
本実施形態ではこれらのバイパス管３４と、送水管２６および吸水管３０とバイパス管３４とを連結する配管部４０を、収納ボックス１０の上段の前部にまとめて配置し、漏水防止ボックス４２に配管部４０を水密にシールして収納している。漏水防止ボックス４２に配管部４０をシールして収納するように構成しているのは、バイパス管３４と給水ポンプ１８、排水ポンプ２０との接続部、これらの配管と送水管２６、吸水管３０との接続部で漏水が生じる可能性があり、漏水が生じた場合でも装置の電気系統に悪影響が及ばないように、安全に保護するためである。
【００２１】
漏水防止ボックス４２は透明プラスチックにより密閉箱状に形成して、漏水防止ボックス４２の内部が外部から視認できるように形成している。漏水防止ボックス４２の壁面を配管が貫通する部位では、配管の外周面と漏水防止ボックス４２の壁面に設けた貫通孔の内周縁とにシール材を充填して漏水しないようにシールしている。漏水防止ボックス４２の前面は開閉蓋に形成されており、調節バルブ３５を操作する際には、前面の開閉蓋を開いて操作することができる。４３は漏水防止ボックス４２の開閉蓋を開閉操作する際に使用するフックである。使用時には、調節バルブ３５を調節したところで開閉蓋を閉じて使用する。
【００２２】
図３は、バイパス管３４と送水管２６等とを接続する配管部４０からの漏水が駆動モータ１６等の電気系統に悪影響が及ばないようにするための他の構成例を示す。本実施形態では、収納ボックス１０の上段の前部に配置した配管部４０の後方に、駆動モータ１６、給水ポンプ１８、排水ポンプ２０等の駆動部と配管部４０とを仕切るように透明な樹脂板からなる仕切り板４５を配置している。仕切り板４５は収納ボックス１０の上段の前面開口部を覆うように形成し、シール部４６により収納ボックス１０の内側面および底面と仕切り板４５との間、配管が通過する貫通孔の部位を水密にシールして、仕切り板４５の前方に配置した配管部４０で生じた漏水が駆動部側に浸入しないように設けたものである。また、仕切り板４５から駆動部側へ使用者の指などが入り込まないように安全を配慮している。
【００２３】
本実施形態では、開閉蓋１４を常時は収納ボックス１０の上段の開口部を閉止するように開閉蓋１４を降ろした状態で、開閉蓋１４を係止しておくフック４７を設けている。
また、本実施形態では、調節バルブ３５をあらかじめ適当なバイパス水量となる状態にセットし、常時は調節バルブ３５を調節できないようにハンドルを取り付けない構成とした。調節バルブ３５の調整が的確にできない場合を配慮したものである。このように構成することで、取り扱いやすく、安全性の高い介護用洗浄装置として提供することができる。
【００２４】
本発明に係る介護用洗浄装置は、駆動モータ１６、給水ポンプ１８、排水ポンプ２０をコンパクトにまとめて配置した構成としたこと、また、洗浄水貯溜タンク２２も収納ボックス１０内に収納する構造としたことで、装置全体がコンパクトに形成することができ、持ち運びが容易になるとともに、取り扱い操作が容易になる。また、装置を収納する際には、収納ボックスの下段に送水管２６、給水管３０、歯ブラシ２８、吸引パイプ３１等をまとめて収納しておくことでコンパクトに収納することが可能になる。
【００２５】
上記実施形態の介護用洗浄装置は、アタッチメントとして送水管２６に歯ブラシ２８を取り付け、吸水管３０に吸引パイプ３１を取り付けて使用する例であるが、本実施形態の介護用洗浄装置は歯ブラシを用いて歯あるいは歯茎をブラッシングするとともに、老人等にあっては咀嚼物が口腔内に残っていたりすることから、口腔内をきれいにするといった介護にも好適に使用することができる。また、吸水管３０に取り付けるアタッチメントを図４に示すような可撓性を有するチューブ３１ａを備えた吸引管５０とすることで痰を吸引したり、耳垢の清掃などを行うことができる。５０ａが吸水管との脱着位置である。
【００２６】
本実施形態においては、図４に示すように、可撓性を有するシリコーン等の樹脂製のチューブ３１ａの孔に、ステンレス製のコイルスプリング５１を挿通して、チューブ３１ａの可撓性を保持するとともに、チューブ３１ａが折れ曲がったりしないように保持している。痰を吸引したりする際には喉側にチューブ３１ａを挿入するからチューブ３１ａが折れ曲がったりせずに挿入できる必要があるからである。
【００２７】
３２ａはチューブ３１ａの先端に脱着自在に取り付けた吸引キャップである。吸引キャップ３２ａは先端側をやや細径にするとともに、先端側を丸く形成して、口腔等を傷つけないようにしている。吸引キャップ３２ａの先端部には２ｍｍ径程度の吸引孔をあけ、先端から吸引できるようにしている。吸引キャップ３２ａに設ける吸引孔は小径である方が吸引力が高まる。したがって、痰などの吸引には小径の吸引孔の吸引キャップ３２ａが適している。吸引キャップ３２ａはチューブ３１ａから取り外して、吸引孔径の異なるものに取り替えたり、消毒したりして使用することができる。
【００２８】
吸水管３０に図４に示すような吸引管５０を取り付けて吸引用として使用する場合は、流量調節部２７の調節レバー２７ａを回して送水管２６から水が吐出されないようにして使用する。このように送水管２６から水が吐出されないようにすると、吸水管３０から水が吸引されないため、一時的に排水ポンプ２０側に水が送り込まれなくなり、自吸式ポンプからなる排水ポンプ２０が空運転される可能性がある。これに対して、本実施形態の介護用洗浄装置の場合は、バイパス管３４によって給水ポンプ１８から排水ポンプ２０に常時、洗浄水が分流して供給されるから、吸水管３０から吸水されない場合でも排水ポンプ２０が確実に作動し、排水ポンプ２０による吸引力が減退することがない。
【００２９】
排水ポンプ２０は水を吸引することはもちろん、排水ポンプ２０に洗浄水が常時、分流されていることによってエア吸引（真空吸引）の作用もあり、これによって、痰の吸引や耳垢の清掃といった操作を容易に行うことができる。このように、本発明に係る介護用洗浄装置は、吸水管３０に接続するアタッチメントを交換したり、送水管２６に接続するアタッチメントを交換することによって、口腔内を洗浄したり、口腔内に残っている咀嚼物を吸引除去したり、痰を吸引したり、耳垢を清掃するといったいろいろな介護作業の用途に好適に使用することが可能である。
【００３０】
【発明の効果】
本発明に係る介護用洗浄装置は、上述したように、きわめてコンパクトに構成され、これによって持ち運び等の操作が容易になるとともに、送水および排水操作が確実になされることから、歯磨き、口腔内の洗浄、痰の除去、耳垢の清掃といったいろいろな介護作業に好適に使用することが可能になる等の著効を奏する。
【図面の簡単な説明】
【図１】本発明に係る介護用洗浄装置の一実施形態の全体構成を示す説明図である。
【図２】介護用洗浄装置の流路構成を示す説明図である。
【図３】本発明に係る介護用洗浄装置の他の実施形態の構成を示す説明図である。
【図４】吸水管に吸引管を取り付けた状態を示す説明図である。
【符号の説明】
１０　収納ボックス
１２　仕切板
１６　駆動モータ
１８　給水ポンプ
２０　排水ポンプ
２２　洗浄水貯溜タンク
２６　送水管
２７　流量調節部
２７ａ　調節レバー
２７ｂ　調節弁
２８　歯ブラシ
２８ａ　ブラシ部
３０　吸水管
３１　吸引パイプ
３１ａ　チューブ
３２ａ　吸引キャップ
３３　排水タンク
３４　バイパス管
３４ａ　バイパス流路
３５　調節バルブ
３５ａ　調節弁
３６　透明管
４０　配管部
４２　漏水防止ボックス
５０　吸引管
５１　コイルスプリング
【図１】
2004041687.tif 000003
【図２】
2004041687.tif 000004
【図３】
2004041687.tif 000005
【図４】
2004041687.tif 000006